【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
複数のオペレーティングシステムのいずれか１つを切り替えて利用可能な情報処理装置を含む情報処理システムであって、
オペレーティングシステムが利用可能な日時を示すスケジュール情報を記憶する記憶手段と、
前記情報処理装置で動作中のオペレーティングシステムとは異なるオペレーティングシステムであって、前記記憶手段に記憶されたスケジュール情報と現在日時とに基づいて特定される現在利用可能なオペレーティングシステムに関する情報を、前記情報処理装置において通知する通知手段と
を備えることを特徴とする情報処理システム。
【請求項２】
前記通知手段は、動作中のオペレーティングシステムと、当該動作中のオペレーティングシステムとは異なるオペレーティングシステムとが利用可能となった場合に、当該動作中のオペレーティングシステムとは異なるオペレーティングシステムに関する情報を、前記情報処理装置において通知することを特徴とする請求項１に記載の情報処理システム。
【請求項３】
前記通知手段は、前記現在利用可能なオペレーティングシステムを示す情報と、当該オペレーティングシステムを動作するための指示部とを含む画面を前記情報処理装置に表示させることで通知することを特徴とする請求項１または２に記載の情報処理システム。
【請求項４】
前記情報処理システムは、
前記画面に含まれる指示部に対する指示に応じて、前記情報処理装置を再起動する再起動手段
を更に備えることを特徴とする請求項３に記載の情報処理システム。
【請求項５】
前記通知手段は、前記情報処理装置において動作中の第一のアプリケーションに対応する第二のアプリケーションを有するオペレーティングシステムが利用可能である場合に、前記情報処理装置で動作中のオペレーティングシステムとは異なる、現在利用可能なオペレーティングシステムに関する情報を、前記情報処理装置において通知することを特徴とする請求項１乃至４のいずれか１項に記載の情報処理システム。
【請求項６】
複数のオペレーティングシステムのいずれか１つを切り替えて利用可能な情報処理装置を含み、オペレーティングシステムが利用可能な日時を示すスケジュール情報を記憶する記憶手段を備える情報処理システムの制御方法であって、
前記情報処理システムの通知手段が、前記情報処理装置で動作中のオペレーティングシステムとは異なるオペレーティングシステムであって、前記記憶手段に記憶されたスケジュール情報と現在日時とに基づいて特定される現在利用可能なオペレーティングシステムに関する情報を、前記情報処理装置において通知する通知ステップ
を備えることを特徴とする情報処理システムの制御方法。
【請求項７】
複数のオペレーティングシステムのいずれか１つを切り替えて利用可能な情報処理装置を含み、オペレーティングシステムが利用可能な日時を示すスケジュール情報を記憶する記憶手段を備える情報処理システムの制御方法を実行可能なプログラムであって、
前記情報処理システムを、
前記情報処理装置で動作中のオペレーティングシステムとは異なるオペレーティングシステムであって、前記記憶手段に記憶されたスケジュール情報と現在日時とに基づいて特定される現在利用可能なオペレーティングシステムに関する情報を、前記情報処理装置において通知する通知手段
として機能させることを特徴とするプログラム。
【請求項８】
複数のオペレーティングシステムのいずれか１つを切り替えて利用可能な情報処理装置であって、
前記情報処理装置において動作中のオペレーティングシステムから、当該オペレーティングシステムとは異なるオペレーティングシステムに切り替えるための指示を受け付ける受付手段と、
前記受付手段で受け付けた前記指示に応じて、前記情報処理装置において動作中のオペレーティングシステムとは異なるオペレーティングシステムであって、現在利用可能なオペレーティングシステムに関する情報を通知する通知手段と
を備えることを特徴とする情報処理装置。
【請求項９】
前記通知手段は、動作中のオペレーティングシステムと、当該動作中のオペレーティングシステムとは異なるオペレーティングシステムとが利用可能となった場合に、当該動作中のオペレーティングシステムとは異なるオペレーティングシステムに関する情報を通知することを特徴とする請求項８に記載の情報処理装置。
【請求項１０】
前記通知手段は、前記現在利用可能なオペレーティングシステムを示す情報と、当該オペレーティングシステムを動作するための指示部とを含む画面を表示させることで通知することを特徴とする請求項８または９に記載の情報処理装置。
【請求項１１】
前記情報処理装置は、
前記画面に含まれる指示部に対する指示に応じて、前記情報処理装置を再起動する再起動手段
を更に備えることを特徴とする請求項１０に記載の情報処理装置。
【請求項１２】
前記通知手段は、前記情報処理装置において動作中の第一のアプリケーションに対応する第二のアプリケーションを有するオペレーティングシステムが利用可能である場合に、前記情報処理装置で動作中のオペレーティングシステムとは異なる、現在利用可能なオペレーティングシステムに関する情報を通知することを特徴とする請求項８乃至１１のいずれか１項に記載の情報処理装置。
【請求項１３】
複数のオペレーティングシステムのいずれか１つを切り替えて利用可能な情報処理装置の制御方法であって、
前記情報処理装置の受付手段が、前記情報処理装置において動作中のオペレーティングシステムから、当該オペレーティングシステムとは異なるオペレーティングシステムに切り替えるための指示を受け付ける受付ステップと、
前記情報処理装置の通知手段が、前記受付ステップで受け付けた前記指示に応じて、前記情報処理装置において動作中のオペレーティングシステムとは異なるオペレーティングシステムであって、現在利用可能なオペレーティングシステムに関する情報を通知する通知ステップと
を備えることを特徴とする情報処理装置の制御方法。
【請求項１４】
複数のオペレーティングシステムのいずれか１つを切り替えて利用可能な情報処理装置の制御方法を実行可能なプログラムであって、
前記情報処理装置を、
前記情報処理装置において動作中のオペレーティングシステムから、当該オペレーティングシステムとは異なるオペレーティングシステムに切り替えるための指示を受け付ける受付手段と、
前記受付手段で受け付けた前記指示に応じて、前記情報処理装置において動作中のオペレーティングシステムとは異なるオペレーティングシステムであって、現在利用可能なオペレーティングシステムに関する情報を通知する通知手段
として機能させることを特徴とするプログラム。
【請求項１５】
複数のオペレーティングシステムのいずれか１つを切り替えて利用可能な情報処理装置であって、
前記情報処理装置において動作中の第一のアプリケーションに対応する第二のアプリケーションを有するオペレーティングシステムが利用可能である場合に、前記情報処理装置で動作中のオペレーティングシステムとは異なる、現在利用可能なオペレーティングシステムに関する情報を、前記情報処理装置において通知する通知手段
を備えることを特徴とする情報処理装置。
【請求項１６】
前記通知手段は、動作中のオペレーティングシステムと、当該動作中のオペレーティングシステムとは異なるオペレーティングシステムとが利用可能となった場合に、当該動作中のオペレーティングシステムとは異なるオペレーティングシステムに関する情報を通知することを特徴とする請求項１５に記載の情報処理装置。
【請求項１７】
前記通知手段は、前記現在利用可能なオペレーティングシステムを示す情報と、当該オペレーティングシステムを動作するための指示部とを含む画面を表示させることで通知することを特徴とする請求項１５または１６に記載の情報処理装置。
【請求項１８】
前記情報処理装置は、
前記画面に含まれる指示部に対する指示に応じて、前記情報処理装置を再起動する再起動手段
を更に備えることを特徴とする請求項１７に記載の情報処理装置。
【請求項１９】
複数のオペレーティングシステムのいずれか１つを切り替えて利用可能な情報処理装置の制御方法であって、
前記情報処理装置の通知手段が、前記情報処理装置において動作中の第一のアプリケーションに対応する第二のアプリケーションを有するオペレーティングシステムが利用可能である場合に、前記情報処理装置で動作中のオペレーティングシステムとは異なる、現在利用可能なオペレーティングシステムに関する情報を通知する通知ステップ
を備えることを特徴とする情報処理装置の制御方法。
【請求項２０】
複数のオペレーティングシステムのいずれか１つを切り替えて利用可能な情報処理装置の制御方法のプログラムであって、
前記情報処理装置を、
前記情報処理装置において動作中の第一のアプリケーションに対応する第二のアプリケーションを有するオペレーティングシステムが利用可能である場合に、前記情報処理装置で動作中のオペレーティングシステムとは異なる、現在利用可能なオペレーティングシステムに関する情報を通知する通知手段
として機能させることを特徴とするプログラム。
【手続補正２】
【補正対象書類名】明細書
【補正対象項目名】０００１
【補正方法】変更
【補正の内容】
【０００１】
本発明は、情報処理装置で動作中のオペレーティングシステムとは異なる、現在利用可能な他のオペレーティングシステムに関する情報を通知することの可能な情報処理システム、その制御方法、及びプログラム、並びに情報処理装置、その制御方法、及びプログラムに関する。
【手続補正３】
【補正対象書類名】明細書
【補正対象項目名】００１１
【補正方法】変更
【補正の内容】
【００１１】
本発明は、情報処理装置で動作中のオペレーティングシステムとは異なる、現在利用可能な他のオペレーティングシステムに関する情報を通知することの可能な仕組みを提供することを目的とする。
【手続補正４】
【補正対象書類名】明細書
【補正対象項目名】００１２
【補正方法】変更
【補正の内容】
【００１２】
上記の目的を達成するために、本発明の情報処理システムは、複数のオペレーティングシステムのいずれか１つを切り替えて利用可能な情報処理装置を含む情報処理システムであって、オペレーティングシステムが利用可能な日時を示すスケジュール情報を記憶する記憶手段と、前記情報処理装置で動作中のオペレーティングシステムとは異なるオペレーティングシステムであって、前記記憶手段に記憶されたスケジュール情報と現在日時とに基づいて特定される現在利用可能なオペレーティングシステムに関する情報を、前記情報処理装置において通知する通知手段とを備えることを特徴とする。また、本発明の情報処理装置は、複数のオペレーティングシステムのいずれか１つを切り替えて利用可能な情報処理装置であって、前記情報処理装置において動作中のオペレーティングシステムから、当該オペレーティングシステムとは異なるオペレーティングシステムに切り替えるための指示を受け付ける受付手段と、前記受付手段で受け付けた前記指示に応じて、前記情報処理装置において動作中のオペレーティングシステムとは異なるオペレーティングシステムであって、現在利用可能なオペレーティングシステムに関する情報を通知する通知手段とを備えることを特徴とする。また、本発明の情報処理装置は、複数のオペレーティングシステムのいずれか１つを切り替えて利用可能な情報処理装置であって、前記情報処理装置において動作中の第一のアプリケーションに対応する第二のアプリケーションを有するオペレーティングシステムが利用可能である場合に、前記情報処理装置で動作中のオペレーティングシステムとは異なる、現在利用可能なオペレーティングシステムに関する情報を、前記情報処理装置において通知する通知手段を備えることを特徴とする。
【手続補正５】
【補正対象書類名】明細書
【補正対象項目名】００１３
【補正方法】変更
【補正の内容】
【００１３】
本発明によれば、情報処理装置で動作中のオペレーティングシステムとは異なる、現在利用可能な他のオペレーティングシステムに関する情報を通知することが可能となる。